(57)【特許請求の範囲】
【請求項１】
部品が所定ピッチで収納されたキャリアテープの上面側にトップテープを接着してなる部品包装テープを部品吸着位置へピッチ送りするピッチ送り機構部と、
前記部品吸着位置から前記部品包装テープのピッチ送り方向とは反対方向に所定距離離れた位置に設けられた第１のトップテープ引き剥がし部で前記部品包装テープから前記トップテープを引き剥がして該部品包装テープのピッチ送り方向とは反対方向に送り出す一対のトップテープ送り出しローラと、
前記トップテープが引き剥がされた前記キャリアテープのうちの前記第１のトップテープ引き剥がし部から前記部品吸着位置までの範囲を上方から覆って該キャリアテープからの部品の飛び出しを防止するテープカバーとを備え、
前記第１のトップテープ引き剥がし部から前記部品吸着位置までのテープ通路長さが該第１のトップテープ引き剥がし部から前記一対のトップテープ送り出しローラまでのテープ通路長さよりも長くなるように構成されていることを特徴とするテープフィーダ。
【請求項２】
前記一対のトップテープ送り出しローラは、部品包装テープが巻回されたテープリールをセットする位置よりも前記部品吸着位置に近い位置に設けられていることを特徴とする請求項１に記載のテープフィーダ。
【請求項３】
前記部品吸着位置の直前に第２のトップテープ引き剥がし部が設けられ、前記部品包装テープのセット時に該部品包装テープから引き剥がしたトップテープの長さが前記第２のトップテープ引き剥がし部から前記一対のトップテープ送り出しローラまでのテープ通路長さよりも長い場合には、前記第２のトップテープ引き剥がし部で前記部品包装テープから前記トップテープを引き剥がすようにセットして該トップテープの先端側を前記一対のトップテープ送り出しローラにセットすることを特徴とする請求項１又は２に記載のテープフィーダ。
【請求項４】
前記テープカバーには、該テープカバーを部品包装テープに被せた状態で該部品包装テープの先端側からトップテープを引き剥がすためのスリット又は開口部がテープ通路に沿って前記第１のトップテープ引き剥がし部まで延びるように形成されていることを特徴とする請求項１乃至３のいずれかに記載のテープフィーダ。
【請求項５】
前記テープカバーは、テープ通路に上下動可能又は開閉回動可能に取り付けられ、付勢手段によって下方に付勢されていることを特徴とする請求項１乃至４のいずれかに記載のテープフィーダ。
【発明の詳細な説明】
【技術分野】
【０００１】
本発明は、部品が所定ピッチで収納された部品包装テープを部品吸着位置へピッチ送りするテープフィーダに関する発明である。
【背景技術】
【０００２】
一般に、部品包装テープは、部品が所定ピッチで収納されたキャリアテープの上面側にトップテープを接着して構成され、テープリールに巻回されて、テープフィーダにセットされる場合が多い。テープフィーダは、テープリールから部品包装テープを引き出し、部品吸着位置の直前に設けられたトップテープ引き剥がし部で部品包装テープからトップテープを引き剥がしてキャリアテープ内の部品を露出させて部品吸着位置へピッチ送りすると共に、部品包装テープから引き剥がされたトップテープを部品包装テープのピッチ送り方向とは反対方向に引き出してトップテープ送出し機構部で送り出すようにしたものが多い。
【０００３】
上述したように、部品包装テープは、テープリールに巻回された状態で使用される場合が多いが、少量生産時や試作品生産時には、必要な部品数が少ないため、予め部品包装テープが短く切断されている場合がある。一般的なテープフィーダは、テープリールの使用を前提とした構成となっているため、短く切断された部品包装テープ（以下「ストリップテープ」という）には対応しておらず、ストリップテープ専用のテープフィーダを使用する必要があった。
【０００４】
そこで、近年、特許文献１（特開２００２−１５８４９０号公報）に記載されているように、１台のテープフィーダで、テープリールとストリップテープの両方を使用可能にすることを目的として、部品吸着位置よりも手前側に所定距離離れた位置に剥離ローラを設けて、テープリールを使用する場合は、テープリールから引き出した部品包装テープのトップテープを剥離ローラで剥離すると共に、トップテープが剥離されたキャリアテープのうちの剥離ローラから部品吸着位置までの範囲を上方から開閉回動可能なテープカバーで覆って該キャリアテープからの部品の飛び出しを防止し、一方、ストリップテープを使用する場合は、ストリップテープをテープガイドにセットして、該ストリップテープからトップテープ全体を剥離してキャリアテープ内の部品を全て露出させた後に、開閉回動可能なテープカバーを閉じて該キャリアテープからの部品の飛び出しを防止するようにしたものがある。
【特許文献１】特開２００２−１５８４９０号公報
【発明の開示】
【発明が解決しようとする課題】
【０００５】
上記特許文献１のテープフィーダは、ストリップテープのトップテープを自動的に引き剥がすことができない構成となっているため、作業者がストリップテープをテープガイドにセットした状態で、該ストリップテープからトップテープ全体を剥離した後に、開閉回動可能なテープカバーを閉じて該キャリアテープからの部品の飛び出しを防止するようにしている。
【０００６】
しかし、この構成では、ストリップテープの長さがテープカバーの長さよりも長い場合でも、ストリップテープからトップテープ全体を剥離することになるため、トップテープが剥離されたキャリアテープの部品露出部分がテープカバーからはみ出して、そこから部品が飛び出すのを防止できないという問題があった。
【０００７】
本発明はこのような事情を考慮してなされたものであり、従ってその目的は、テープカバーよりも長いストリップテープを使用する場合でも、トップテープを引き剥がしたキャリアテープからの部品の飛び出しを防止することができるテープフィーダを提供することにある。
【課題を解決するための手段】
【０００８】
上記目的を達成するために、請求項１に係る発明は、部品が所定ピッチで収納されたキャリアテープの上面側にトップテープを接着してなる部品包装テープを部品吸着位置へピッチ送りするピッチ送り機構部と、前記部品吸着位置から前記部品包装テープのピッチ送り方向とは反対方向に所定距離離れた位置に設けられた第１のトップテープ引き剥がし部で前記部品包装テープから前記トップテープを引き剥がして該部品包装テープのピッチ送り方向とは反対方向に送り出す一対のトップテープ送り出しローラと、前記トップテープが引き剥がされた前記キャリアテープのうちの前記第１のトップテープ引き剥がし部から前記部品吸着位置までの範囲を上方から覆って該キャリアテープからの部品の飛び出しを防止するテープカバーとを備え、前記第１のトップテープ引き剥がし部から前記部品吸着位置までのテープ通路長さが該第１のトップテープ引き剥がし部から前記一対のトップテープ送り出しローラまでのテープ通路長さよりも長くなるように構成したものである。
【０００９】
本発明では、第１のトップテープ引き剥がし部から部品吸着位置までのテープ通路長さが該第１のトップテープ引き剥がし部から一対のトップテープ送り出しローラまでのテープ通路長さよりも長くなるように構成されているため、テープカバーよりも長いストリップテープ（切断した部品包装テープ）を使用する場合は、ストリップテープの先端部を部品吸着位置にセットして該ストリップテープの先端側からトップテープを第１のトップテープ引き剥がし部まで引き剥がしたときに、当該トップテープの引き剥がし長さが第１のトップテープ引き剥がし部から一対のトップテープ送り出しローラまでのテープ通路長さよりも長くなり、引き剥がしたトップテープの先端部を一対のトップテープ送り出しローラにセットすることができる。このため、テープカバーよりも長いストリップテープを使用する場合は、第１のトップテープ引き剥がし部でストリップテープからトップテープを引き剥がしながらキャリアテープを部品吸着位置へピッチ送りすると共に、ストリップテープから引き剥がしたトップテープを一対のトップテープ送り出しローラで送り出すことができる。これにより、テープカバーよりも長いストリップテープを使用する場合でも、トップテープを先端側から第１のトップテープ引き剥がし部まで引き剥がすだけで良く、キャリアテープの部品露出部分をテープカバーで上方から覆って該キャリアテープからの部品の飛び出しを防止することができる。
【００１０】
この場合、請求項２のように、一対のトップテープ送り出しローラは、部品包装テープが巻回されたテープリールをセットする位置よりも部品吸着位置に近い位置に設けるようにすると良い。このようにすれば、第１のトップテープ引き剥がし部から一対のトップテープ送り出しローラまでのテープ通路長さを容易に短くすることができる。その結果、テープカバーの長さも短くできることから、トップテープの引き剥がしにより露出する部品の数を減らすことができて、ストリップテープにまだ部品が残っている状態で取り替える際に、無駄になる部品数（露出部品数）を減らすことができる。
【００１１】
また、請求項３のように、部品吸着位置の直前に第２のトップテープ引き剥がし部を設け、部品包装テープのセット時に該部品包装テープから引き剥がしたトップテープの長さが第２のトップテープ引き剥がし部から一対のトップテープ送り出しローラまでのテープ通路長さよりも長い場合（例えばテープリールに巻回された部品包装テープをセットする場合又はかなり長いストリップテープをセットする場合）には、部品吸着位置直前の第２のトップテープ引き剥がし部で部品包装テープ（又はストリップテープ）からトップテープを引き剥がすようにセットして該トップテープの先端側を一対のトップテープ送り出しローラにセットするようにすれば良い。このようにすれば、トップテープの引き剥がしにより露出する部品の数を必要最小限にすることができるため、部品包装テープ（又はストリップテープ）にまだ部品が残っている状態で取り替える際に、無駄になる部品数（露出部品数）を最小限にすることができる。
【００１２】
ところで、前述した特許文献１のテープフィーダでは、作業者が部品包装テープの先端側からトップテープを引き剥がす作業を、テープカバーを開放した状態で行うように構成されているため、トップテープの引き剥がし作業時の振動によりキャリアテープから部品が飛び出してしまう可能性がある。
【００１３】
この対策として、請求項４のように、テープカバーには、該テープカバーを部品包装テープに被せた状態で該部品包装テープの先端側からトップテープを引き剥がすためのスリット又は開口部をテープ通路に沿って第１のトップテープ引き剥がし部まで延びるように形成すると良い。このようにすれば、トップテープの引き剥がし作業を、テープカバーを部品包装テープに被せた状態で行うことができるため、トップテープの引き剥がし作業時の振動によりキャリアテープから部品が飛び出すことをテープカバーにより防止することができる。
【００１４】
更に、請求項５のように、テープカバーをテープ通路に上下動可能又は開閉回動可能に取り付け、付勢手段によって下方に付勢するようにすると良い。このようにすれば、付勢手段の付勢力によってテープカバーをキャリアテープ（又は部品包装テープ）に密着させることができるので、微小な部品であってもテープカバーとキャリアテープとの隙間から部品が飛び出すのを確実に防止できると共に、テープカバーによってキャリアテープ（又は部品包装テープ）をピッチ送り機構部に押さえ付けることができて、安定したピッチ送り動作を行わせることができる。
【発明を実施するための最良の形態】
【００１５】
以下、本発明を実施するための最良の形態を具体化した一実施例を説明する。
まず、図１乃至図３に基づいてテープフィーダの構成を説明する。
テープフィーダのフィーダ本体１１の前端側（図１において右側）には、部品包装テープ１２が巻回されたテープリール１３が脱着可能にセットできるようになっている。ストリップテープ１４（切断した部品包装テープ）を使用する場合は、テープリール１３をフィーダ本体１１から取り外した状態で使用する。
【００１６】
フィーダ本体１１の上面部には、テープリール１３から引き出した部品包装テープ１２やストリップテープ１４を部品吸着位置へ案内するためのテープ通路を形成するテープガイド部材１５が取り付けられている。フィーダ本体１１の奥側（図１において左側）には、テープガイド部材１５にセットされた部品包装テープ１２又はストリップテープ１４を部品吸着位置へピッチ送りするスプロケット１６（ピッチ送り機構部）と、これを回転駆動するモータ（図示せず）とが取り付けられ、スプロケット１６の回転中心の真上の位置が部品吸着位置となっている。
【００１７】
図２に示すように、部品包装テープ１２やストリップテープ１４の片方の側縁部には、一定ピッチでスプロケット孔１７が形成され、このスプロケット孔１７にスプロケット１６の歯が順番に嵌まり込みながらスプロケット１６が回転することで、部品包装テープ１２やストリップテープ１４がピッチ送りされるようになっている。
【００１８】
図１に示すように、フィーダ本体１１の奥端面には、部品実装機側のコネクタ（図示せず）と接続される通信コネクタ１８と、部品実装機に対する取付位置を決める位置決めピン１９，２０が設けられている。また、フィーダ本体１１には、テープリール１３から引き出した部品包装テープ１２やストリップテープ１４から引き剥がしたトップテープ２１を送り出すための一対のトップテープ送り出しローラ２２，２３（トップテープ送出し機構部）がテープリール１３のセット位置よりも部品吸着位置に近い位置に設けられている。
【００１９】
図２及び図３に示すように、テープガイド部材１５には、トップテープ２１が引き剥がされたキャリアテープ２４の部品露出部分を上方から覆って該キャリアテープ２４からの部品の飛び出しを防止するテープカバー２５が組み付けられている。このテープカバー２５には、部品吸着位置から手前側（部品包装テープ１２のピッチ送り方向とは反対方向）に所定距離離れた位置にスリット２６が形成され、このスリット２６が第１のトップテープ引き剥がし部として用いられる。この第１のトップテープ引き剥がし部２６（スリット）から部品吸着位置の直前まではキャリアテープ２４（部品包装テープ１２）がテープカバー２５によって覆われ、該テープカバー２５の部品吸着位置直前の開口縁部が第２のトップテープ引き剥がし部２７として使用されるようになっている。
【００２０】
この場合、第１のトップテープ引き剥がし部２６から第２のトップテープ引き剥がし部２７（部品吸着位置）までのテープ通路長さが該第１のトップテープ引き剥がし部２６からトップテープ送り出しローラ２２，２３（図１参照）までのテープ通路長さよりも長くなるように構成されている。
【００２１】
フィーダ本体１１には、第１のトップテープ引き剥がし部２６（又は第２のトップテープ引き剥がし部２７）から引き出されたトップテープ２１をトップテープ送り出しローラ２２，２３へ案内するための案内ローラ２８が、テープガイド部材１５へ送られる部品包装テープ１２よりも上方に位置するように設けられている。この案内ローラ２８は、テーパ状に形成され、トップテープ２１を部品包装テープ１２の横側にずらしてトップテープ送り出しローラ２２，２３へ案内するようになっている。
【００２２】
図３に示すように、テープカバー２５には、該テープカバー２５をストリップテープ１４に被せた状態で該ストリップテープ１４の先端側からトップテープ２１を引き剥がすための開口部３１がテープガイド部材１５の側縁部に沿って第１のトップテープ引き剥がし部２６（スリット）まで延びるように形成されている。尚、図４に示すように、テープカバー２５の上面部に、上記開口部３１の代わりに、スリット３２を第１のトップテープ引き剥がし部２６（スリット）まで延ばすように形成し、このスリット３２を通してトップテープ２１を引き剥がすようにしても良い。
【００２３】
テープカバー２５は、テープガイド部材１５に対して上下動可能に取り付けられている。具体的には、図３、図４に示すように、テープカバー２５の側面部に上下方向に長い長孔３３を形成し、この長孔３３に挿通したねじ３４をテープガイド部材１５の側面部に締め込むことで、テープカバー２５をねじ３４を介して長孔３３の上下開口幅内でテープガイド部材１５に対して上下動可能に取り付けている。更に、テープガイド部材１５の下面部とテープカバー２５の下面部との間には、該テープカバー２５を下方に付勢するばね３５（付勢手段）が組み付けられている。尚、ばね３５の代わりに、ゴム等の弾性体を付勢手段として組み付けるようにしても良い。
【００２４】
以上のように構成されたテープフィーダに対して、部品包装テープ１２が巻回されたテープリール１３をセットして使用する場合（又はストリップテープ１４のセット時に該ストリップテープ１４から引き剥がしたトップテープ２１の長さが第２のトップテープ引き剥がし部２７からトップテープ送出しローラ２２，２３までのテープ通路長さよりも長い場合）には、テープリール１３から引き出した部品包装テープ１２（又はストリップテープ１４）をテープガイド部材１５とテープカバー２５との間の隙間に挿入して、該部品包装テープ１２（又はストリップテープ１４）の先端部をテープカバー２５から引き出すと共に、該部品包装テープ１２（又はストリップテープ１４）の先端側からトップテープ２１を引き剥がして、図２（ａ）に示すように、引き剥がしたトップテープ２１を、部品吸着位置直前の第２のトップテープ引き剥がし部２７でピッチ送り方向とは反対方向に折り返して案内ローラ２８に掛け渡してトップテープ送り出しローラ２２，２３にセットする。
【００２５】
この際、未使用の部品包装テープ１２は、先端側から所定寸法までの部分が部品の入っていないリード部となり、このリード部のトップテープ２１を引き剥がしてトップテープ送り出しローラ２２，２３にセットできるようになっている。
【００２６】
一方、ストリップテープ１４の長さが上記図２（ａ）の方法でセット可能な長さよりも短い場合は、その長さに応じて図２（ｂ）又は（ｃ）の方法で次のようにしてセットする。
【００２７】
例えば、テープカバー２５よりも長いストリップテープ１４（詳しくは２つのトップテープ引き剥がし部２６，２７の間隔よりも長いストリップテープ１４）をセットする場合は、図２（ｂ）に示すように、ストリップテープ１４をテープガイド部材１５とテープカバー２５との間の隙間に挿入して、該ストリップテープ１４の先端部をテープカバー２５から引き出して部品吸着位置に位置させると共に、該ストリップテープ１４の先端側からトップテープ２１を引き剥がしてテープカバー２５の開口部３１（スリット３２）から引き出す。そして、ストリップテープ１４をテープカバー２５で覆った状態で該ストリップテープ１４の先端側から引き剥がしたトップテープ２１を開口部３１（スリット３２）に沿ってピッチ送り方向とは反対方向に引っ張っていくことで、テープカバー２５で覆われた部分からトップテープ２１を引き剥がして第１のトップテープ引き剥がし部２６に引っ掛け、該トップテープ２１を案内ローラ２８に掛け渡してトップテープ送り出しローラ２２，２３にセットする。これにより、テープフィーダへのストリップテープ１４のセット作業が完了し、その後は、ストリップテープ１４を部品吸着位置へピッチ送りしながら、第１のトップテープ引き剥がし部２６でストリップテープ１４からトップテープ２１を引き剥がしてトップテープ送り出しローラ２２，２３で送り出すことができる。
【００２８】
一方、テープカバー２５よりも短いストリップテープ１４（詳しくは２つのトップテープ引き剥がし部２６，２７の間隔よりも短いストリップテープ１４）を使用する場合は、図２（ｃ）に示すように、ストリップテープ１４をテープガイド部材１５とテープカバー２５との間の隙間に挿入して、該ストリップテープ１４の先端部をテープカバー２５から引き出して部品吸着位置に位置させると共に、該ストリップテープ１４の先端側からトップテープ２１を引き剥がしてテープカバー２５の開口部３１（スリット３２）から引き出す。この場合は、ストリップテープ１４全体がテープカバー２５で覆われた状態となっているため、テープカバー２５の開口部３１（スリット３２）からストリップテープ１４全体のトップテープ２１を引き剥がして取り除く。これにより、テープフィーダへのストリップテープ１４のセット作業が完了する。
【００２９】
以上説明した本実施例によれば、第１のトップテープ引き剥がし部２６から第２のトップテープ引き剥がし部２７（部品吸着位置）までのテープ通路長さが該第１のトップテープ引き剥がし部２６からトップテープ送り出しローラ２２，２３までのテープ通路長さよりも長くなるように構成されているため、テープカバー２５よりも長いストリップテープ１４を使用する場合は、ストリップテープ１４の先端部を部品吸着位置にセットして該ストリップテープ１４の先端側からトップテープ２１を第１のトップテープ引き剥がし部ま２６で引き剥がしたときに、当該トップテープ２１の引き剥がし長さが第１のトップテープ引き剥がし部２６からトップテープ送り出しローラ２２，２３までのテープ通路長さよりも長くなり、引き剥がしたトップテープ２１の先端部をトップテープ送り出しローラ２２，２３にセットすることができる。このため、テープカバー２５よりも長いストリップテープ１４を使用する場合は、第１のトップテープ引き剥がし部２６でストリップテープ１４からトップテープ２１を引き剥がしながらキャリアテープ２４を部品吸着位置へピッチ送りすると共に、ストリップテープ１４から引き剥がしたトップテープ２１をトップテープ送り出しローラ２２，２３で送り出すことができる。これにより、テープカバー２５よりも長いストリップテープ１４を使用する場合でも、トップテープ２１を先端側から第１のトップテープ引き剥がし部２６まで引き剥がすだけで良く、キャリアテープ２４の部品露出部分をテープカバー２５で上方から覆って該キャリアテープ２４からの部品の飛び出しを防止することができる。
【００３０】
この場合、本実施例のように、トップテープ送り出しローラ２２，２３をテープリール１３のセット位置よりも部品吸着位置に近い位置に設けるようにすれば、第１のトップテープ引き剥がし部２６からトップテープ送り出しローラ２２，２３までのテープ通路長さを容易に短くすることができる。
【００３１】
また、本実施例では、部品吸着位置の直前に第２のトップテープ引き剥がし部２７を設け、テープリール１３に巻回された部品包装テープ１２をセットする場合（又はストリップテープ１４のセット時に該ストリップテープ１４から引き剥がしたトップテープ２１の長さが第２のトップテープ引き剥がし部２７からトップテープ送出しローラ２２，２３までのテープ通路長さよりも長い場合）には、部品吸着位置直前の第２のトップテープ引き剥がし部２７で部品包装テープ１２（又はストリップテープ１４）からトップテープ２１を引き剥がすようにセットして該部品包装テープ１２（又はストリップテープ１４）の先端側をトップテープ送り出しローラ２２，２３にセットするようにしたので、トップテープ２１の引き剥がしにより露出する部品の数を必要最小限にすることができる。これにより、部品包装テープ１２にまだ部品が残っている状態で、テープフィーダを取り替える際に、トップテープ２１が引き剥がされた部分から部品がこぼれ落ちるのを防止できる。
【００３２】
更に、本実施例では、テープカバー２５には、該テープカバー２５をストリップテープ１４に被せた状態で該ストリップテープ１４の先端側からトップテープ２１を引き剥がすための開口部３１（スリット３２）をテープガイド部材１５に沿って第１のトップテープ引き剥がし部２６まで延ばすように形成したので、トップテープ２１の引き剥がし作業をテープカバー２５をストリップテープ１４に被せた状態で行うことができる。これにより、トップテープ２１の引き剥がし作業時の振動によりキャリアテープ２４から部品が飛び出すことをテープカバー２５により防止することができる。
【００３３】
また、本実施例では、テープカバー２５をテープガイド部材１５に上下動可能に取り付け、ばね３５によって下方に付勢するように構成したので、ばね３５の付勢力によってテープカバー２５をキャリアテープ２４（又は部品包装テープ１２）に密着させることができる。このため、微小な部品であってもテープカバー２５とキャリアテープ２４との隙間から部品が飛び出すのを確実に防止できると共に、テープカバー２５によってキャリアテープ２４（又は部品包装テープ１２）をスプロケット１６に押さえ付けることができて、安定したピッチ送り動作を行わせることができる。
【００３４】
尚、本発明は、テープカバーをテープガイド部材１５に開閉回動可能に取り付けて、該テープカバーを付勢手段によって下方（閉じ方向）に付勢する構成としたり、或は、テープガイド部材１５に対してテープカバーを係合手段等により脱着可能且つ上下動可能に取り付けて、該テープカバーを付勢手段によって下方に付勢するように構成しても良い。勿論、テープカバーをテープガイド部材１５に固定した構成としても良い。
【００３５】
また、本実施例では、テープカバー２５に第１のトップテープ引き剥がし部２６（スリット）と第２のトップテープ引き剥がし部２７を形成したが、２つのトップテープ引き剥がし部２６，２７の両方又はいずれか一方を、テープカバー２５とは別の部材（剥離ローラ等）で形成するようにしても良い。或は、部品吸着位置直前の第２のトップテープ引き剥がし部２７を設けない構成としても良く、テープリール１３から引き出した部品包装テープ１２のトップテープ２１についても、ストリップテープ１４と同様に、第１のトップテープ引き剥がし部２６で引き剥がすようにしても良い。
【００３６】
その他、本発明は、トップテープを送り出すトップテープ送り出しローラ２２，２３の構成を変更しても良い等、要旨を逸脱しない範囲内で種々変更して実施できる。
【図面の簡単な説明】
【００３７】
【図１】本発明の一実施例を示すテープフィーダの側面図である。
【図２】（ａ）はテープフィーダにテープリールをセットして使用する場合（又はストリップテープのセット時に該ストリップテープから引き剥がしたトップテープの長さが第２のトップテープ引き剥がし部からトップテープ送出しローラまでのテープ通路長さよりも長い場合）のトップテープの処理方法を説明する平面図、（ｂ）はテープカバーよりも長いストリップテープを使用する場合のトップテープの処理方法を説明する平面図、（ｃ）はテープカバーよりも短いストリップテープを使用する場合のトップテープの処理方法を説明する平面図である。
【図３】本発明の一実施例のテープカバーの取付構造を説明するための拡大縦断面図である。
【図４】他の実施例のテープカバーの取付構造を説明するための拡大縦断面図である。
【符号の説明】
【００３８】
１１…フィーダ本体、１２…部品包装テープ、１３…テープリール、１４…ストリップテープ（切断した部品包装テープ）、１５…テープガイド部材、１６…スプロケット（ピッチ送り機構部）、２１…トップテープ、２２，２３…トップテープ送り出しローラ（トップテープ送出し機構部）、２４…キャリアテープ、２５…テープカバー、２６…第１のトップテープ引き剥がし部（スリット）、２７…第２のトップテープ引き剥がし部、２８…案内ローラ、３１…開口部、３２…スリット、３３…長孔、３４…ねじ、３５…ばね（付勢手段）
【図１】
0004863956.tif 000002
【図２】
0004863956.tif 000003
【図３】
0004863956.tif 000004
【図４】
0004863956.tif 000005